【手続補正書】
【提出日】平成28年7月14日(2016.7.14)
【手続補正１】
【補正対象書類名】特許請求の範囲
【補正対象項目名】全文
【補正方法】変更
【補正の内容】
【特許請求の範囲】
【請求項１】
遊技を実行可能な遊技機であって、
計時を行う計時手段と、
前記計時手段の計時結果にもとづく所定条件が成立したときに特定演出を実行する特定演出実行手段と、
可変表示中に複数種類の演出態様のうちのいずれの演出態様で演出を実行するかを決定する演出態様決定手段と、
可変表示中に前記演出態様決定手段が決定した演出態様で演出を実行する演出実行手段とを備え、
前記演出態様決定手段は、前記特定演出実行手段によって前記特定演出が実行されているときには、前記特定演出が実行されていないときには決定されない特別演出態様を決定可能であり、
前記演出実行手段は、可変表示中に前記所定条件が成立する場合において、前記演出態様決定手段によって演出態様が決定された後に前記所定条件が成立する場合には、当該可変表示中に前記特別演出態様で演出を実行せず、
前記演出態様決定手段は、
前記特定演出の開始前と開始後とにおいて、互いに異なる演出態様となるように可変表示に関する演出態様を決定可能であり、
前記特定演出が終了した後の可変表示の開始を契機に前記特定演出の開始前における演出態様となるように可変表示に関する演出態様を決定可能である
ことを特徴とする遊技機。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
本発明は、制御負担を軽減させた遊技機を提供することを目的とする。
【手続補正４】
【補正対象書類名】明細書
【補正対象項目名】０００９
【補正方法】変更
【補正の内容】
【０００９】
（手段１）本発明による遊技機は、遊技を実行可能な遊技機であって、計時を行う計時手段（例えば、演出制御用マイクロコンピュータ１００におけるステップＳ７０２，Ｓ７０３Ａ，Ｓ７０３Ｂ，Ｓ７０７を実行する部分）と、計時手段の計時結果にもとづく所定条件が成立したとき（例えば、ステップＳ７５２でＹと判定したとき）に特定演出（例えば、図４０に示すような特定演出の動画）を実行する特定演出実行手段（例えば、演出制御用マイクロコンピュータ１００において、ステップＳ５００５の処理を実行する部分）と、可変表示中に複数種類の演出態様のうちのいずれの演出態様で演出を実行するかを決定する演出態様決定手段と、可変表示中に演出態様決定手段が決定した演出態様で演出を実行する演出実行手段とを備え、演出態様決定手段は、特定演出実行手段によって特定演出が実行されているときには、特定演出が実行されていないときには決定されない特別演出態様を決定可能であり、演出実行手段は、可変表示中に所定条件が成立する場合において、演出態様決定手段によって演出態様が決定された後に所定条件が成立する場合には、当該可変表示中に特別演出態様で演出を実行せず、演出態様決定手段は、特定演出の開始前と開始後とにおいて、互いに異なる演出態様となるように可変表示に関する演出態様を決定可能であり、特定演出が終了した後の可変表示の開始を契機に特定演出の開始前における演出態様となるように可変表示に関する演出態様を決定可能であることを特徴とする。そのような構成によれば、制御負担を軽減させることができる。
【手続補正５】
【補正対象書類名】明細書
【補正対象項目名】００１０
【補正方法】変更
【補正の内容】
【００１０】
（手段２）手段１において、特定演出は、第１特定演出と該第１特定演出とは演出態様の異なる第２特定演出とを含み、特定演出実行手段は、第１期間では、所定条件の成立にもとづいて第１特定演出を実行した後、さらに所定条件が成立したときに第２特定演出を実行し、第１期間とは異なる第２期間では、所定条件の成立にもとづいて第２特定演出を実行した後、さらに所定条件が成立したときに第１特定演出を実行し、第１期間および第２期間とは異なる第３期間では、所定条件の成立にもとづいて第１特定演出を実行した後、さらに所定条件が成立したときに第２特定演出を実行するとともに、第１期間において、第１特定演出の実行後に第２特定演出を実行した後、さらに所定条件が成立したときに再び第１特定演出を実行し、演出態様決定手段は、特定演出実行手段によって第１特定演出が実行されているときには、第１特定演出が実行されていないときには決定されない特別演出態様（例えば、第１特別演出態様、リーチ態様Ｃ）を決定可能であり（例えば、図３６（Ｂ）に示すように、第１特定演出の実行中にのみリーチ態様Ｃが決定される場合がある）、演出実行手段は、可変表示中に所定条件を満たす場合において、演出態様決定手段によって演出態様が決定された後に所定条件を満たした場合には、当該可変表示中に特別演出態様で演出を実行しない（例えば、演出制御用マイクロコンピュータ１００は、ステップＳ８００３，Ｓ６００１〜Ｓ６００４を実行することによって、変動表示の開始時に特定演出の実行中でなければ図３６（Ａ）の通常用のリーチ態様決定テーブルを用いてリーチ態様Ａまたはリーチ態様Ｂを決定し、その変動表示の途中で第１特定演出が開始されてもリーチ態様Ｃでリーチ演出を実行することはない）こととしてもよい。そのような構成によれば、可変表示中に所定条件を満たした場合にも特別演出態様で演出を実行可能に構成した場合と比較して制御負担を軽減することができる。従って、可変表示の途中で特定演出が開始される場合の制御負担を軽減することができる。
【手続補正６】
【補正対象書類名】明細書
【補正対象項目名】００１１
【補正方法】変更
【補正の内容】
【００１１】
（手段３）手段１または手段２において、特定演出は、第１特定演出と該第１特定演出とは演出態様の異なる第２特定演出とを含み、特定演出実行手段は、第１期間では、所定条件の成立にもとづいて第１特定演出を実行した後、さらに所定条件が成立したときに第２特定演出を実行し、第１期間とは異なる第２期間では、所定条件の成立にもとづいて第２特定演出を実行した後、さらに所定条件が成立したときに第１特定演出を実行し、第１期間および第２期間とは異なる第３期間では、所定条件の成立にもとづいて第１特定演出を実行した後、さらに所定条件が成立したときに第２特定演出を実行するとともに、第１期間において、第１特定演出の実行後に第２特定演出を実行した後、さらに所定条件が成立したときに再び第１特定演出を実行し、特定演出実行手段は、所定期間（例えば、５分間）にわたって第１特定演出を実行し、演出態様決定手段は、特定演出実行手段によって第１特定演出が実行されているときには、第１特定演出が実行されていないときには決定されない特別演出態様（例えば、第１特別演出態様、リーチ態様Ｃ）を決定可能であり（例えば、図３６（Ｂ）に示すように、特定演出の実行中にのみリーチ態様Ｃが決定される場合がある）、特定演出実行手段によって第１特定演出が実行されていないときには、第１特定演出が実行されているときには決定されない通常演出態様（例えば、リーチ態様Ａ）を決定可能であり（例えば、図３６（Ａ）に示すように、特定演出を実行していないときにのみリーチ態様Ａが決定される場合がある）、演出実行手段は、可変表示中に所定期間が経過するときには、当該可変表示中に通常演出態様で演出を実行しない（例えば、演出制御用マイクロコンピュータ１００は、ステップＳ８００３，Ｓ６００１〜Ｓ６００４を実行することによって、変動表示の開始時に第１特定演出の実行中であれば図３６（Ｂ）の特定演出用のリーチ態様決定テーブルを用いてリーチ態様Ｂまたはリーチ態様Ｃを決定し、その変動表示の途中で所定期間が経過してもリーチ態様Ａでリーチ演出を実行することはない）こととしてもよい。そのような構成によれば、可変表示中に所定期間が経過した場合にも通常演出態様で演出を実行可能に構成した場合と比較して制御負担を軽減することができる。従って、可変表示の途中で所定期間が経過した場合の制御負担を軽減することができる。
【手続補正７】
【補正対象書類名】明細書
【補正対象項目名】００１２
【補正方法】変更
【補正の内容】
【００１２】
（手段４）手段１において、特定演出は、第１特定演出と該第１特定演出とは演出態様の異なる第２特定演出とを含み、特定演出実行手段は、第１期間では、所定条件の成立にもとづいて第１特定演出を実行した後、さらに所定条件が成立したときに第２特定演出を実行し、第１期間とは異なる第２期間では、所定条件の成立にもとづいて第２特定演出を実行した後、さらに所定条件が成立したときに第１特定演出を実行し、第１期間および第２期間とは異なる第３期間では、所定条件の成立にもとづいて第１特定演出を実行した後、さらに所定条件が成立したときに第２特定演出を実行するとともに、第１期間において、第１特定演出の実行後に第２特定演出を実行した後、さらに所定条件が成立したときに再び第１特定演出を実行し、演出態様決定手段は、特定演出実行手段によって第１特定演出が実行されているときには、第１特定演出が実行されていないときには決定されない特別演出態様（例えば、第１特別演出態様、リーチ態様Ｃ）を決定可能であり（例えば、図３６（Ｂ）に示すように、特定演出の実行中にのみリーチ態様Ｃが決定される場合がある）、第１特定演出が実行されていないときに可変表示が開始される場合には、当該可変表示中に所定条件を満たすか否かにもとづいて、当該可変表示中に特別演出態様で演出を実行するか否かを決定する（例えば、演出制御用マイクロコンピュータ１００は、ステップＳ６００１でＮと判定してもステップＳ６００１ＡおよびステップＳ６００１ＢでＹであれば、ステップＳ６００３に移行して特定演出用のリーチ態様決定テーブルを選択してリーチ態様を決定することにより、変動表示の途中で特定演出が開始される場合であってもリーチ態様Ｃでリーチ演出が実行される場合がある）こととしてもよい。そのような構成によれば、可変表示中に所定条件を満たした場合でも、当該可変表示において特別演出態様で演出が実行されるので、遊技に対する興趣が低下することを防止することができる。
【手続補正８】
【補正対象書類名】明細書
【補正対象項目名】００１３
【補正方法】変更
【補正の内容】
【００１３】
（手段５）手段１から手段４のいずれかにおいて、特定演出は、第１特定演出と該第１特定演出とは演出態様の異なる第２特定演出とを含み、特定演出実行手段は、第１期間では、所定条件の成立にもとづいて第１特定演出を実行した後、さらに所定条件が成立したときに第２特定演出を実行し、第１期間とは異なる第２期間では、所定条件の成立にもとづいて第２特定演出を実行した後、さらに所定条件が成立したときに第１特定演出を実行し、第１期間および第２期間とは異なる第３期間では、所定条件の成立にもとづいて第１特定演出を実行した後、さらに所定条件が成立したときに第２特定演出を実行するとともに、第１期間において、第１特定演出の実行後に第２特定演出を実行した後、さらに所定条件が成立したときに再び第１特定演出を実行し、演出態様決定手段は、特定演出実行手段によって第１特定演出が実行されているときには、第１特定演出が実行されていないときには決定されない第１特別演出態様（例えば、リーチＣ）を決定可能であり、特定演出実行手段によって第２特定演出が実行されているときには、第２特定演出が実行されていないときには決定されない第２特別演出態様（例えば、リーチＤ）を決定可能であることとしてもよい。そのような構成によれば、第１特定演出と第２特定演出を実行しているときの遊技の興趣を向上させることができる。